Podtech/llm-jp-corpus-v4-ja_patent huggingface dataset:
【手続補正書】
【提出日】平成23年6月16日(2011.6.16)
【手続補正１】
【補正対象書類名】特許請求の範囲
【補正対象項目名】全文
【補正方法】変更
【補正の内容】
【特許請求の範囲】
【請求項１】
携帯式のピペットとともに使用するための研究室用サンプルリザーバシステムであって、
前記サンプルリザーバシステムは平らな面上で安定な支持を提供する再利用可能な基底部を備え、当該基底部は、一対の端壁含む細長い鉢部と、前記鉢部の底面に沿って延出する細長い溝部と、前記端壁の間に延出する一対の細長い側壁を有し、
前記細長い側壁は、おのおの鉢部を形成するために、上方へ延出するにつれて外側に勾配をもち、前記側壁の少なくとも一つは、異なる液体体積の目盛線を前記鉢部の一部を形成する前記側壁面上に有し、
また前記研究室用サンプルリザーバシステムはさらに、透き通ったプラスチック材料で作られた使い捨てライナを有し、前記ライナは前記再利用可能な基底部の前記鉢部の輪郭に厳密にしたがう形状の鉢部を有し、これにより前記使い捨てライナは、追加的な支持無しでは平らな面上で直立不可能の状態となり、前記鉢部の前記側壁上の前記液体体積の目盛線の目盛り付けは、前記使い捨てライナ内に収容された液体サンプルの体積を測定するようになされると共に、前記使い捨てライナが前記再利用可能な基底部内部の適所に設置された場合に観察可能であり、さらに前記再利用可能な基底部が前記鉢部の上端部周囲にリムを備え、また前記使い捨てライナが前記ライナの鉢部上部から外側へ延出する周縁部フランジをさらに備え、前記使い捨てライナが前記再利用可能な基底部内部の適所に配置された場合、前記周縁部フランジが前記再利用可能な基底部の前記リム上に置かれ、これにより前記使い捨てライナが前記再利用可能な基底部の内部で、前記ライナの鉢部及び前記基底部の鉢部の間に僅かな隙間を有して掛かり、これにより前記使い捨てライナの前記鉢部内に収容されたサンプル液体が光を反射させ、これにより前記使い捨てライナの前記鉢部内に収容されたサンプル液体の上面より下方にある前記再利用可能な鉢部の前記側壁上の前記目盛線の視界が、多様な使用者の視角のために遮断されることを特徴とする研究室用サンプルリザーバシステム。
【請求項２】
前記使い捨てライナが艶出し仕上げされた透明の透き通ったプラスチック材料で作られ、前記再利用可能なリザーバ基底部の少なくとも前記側壁が不透明であると共にサテン仕上げされた面を有することを特徴とする請求項１記載のサンプルリザーバシステム。
【請求項３】
前記使い捨てライナが、前記周縁部フランジの交差部で形成される少なくとも一つの注入口と、前記使い捨てライナの少なくとも一つの端壁及び少なくとも一つの側壁を備えることを特徴とする請求項１記載のサンプルリザーバシステム。
【請求項４】
前記再利用可能な鉢部内の前記溝部が、少なくとも一つの排水穴を含むことを特徴とする請求項１記載のサンプルリザーバシステム。
【請求項５】
前記使い捨てリザーバ基底部が一対の長手方向のステップをさらに有し、該ステップの夫々は前記溝部の長手方向の側部夫々に沿って長手方向に延出し、また前記ステップから前記長手方向の側壁の夫々が上方に延出していることを特徴とする請求項１記載のサンプルリザーバシステム。
【請求項６】
前記再利用可能な基底部がさらに、前記鉢部の上端部周囲に延出するリムと、前記リムの前記周縁部の略周囲に延出する隆起した縁部を備え、
また前記使い捨てライナがさらに、前記ライナの鉢部の上部から外側に延出する周縁部フランジを備え、前記周縁部フランジは、前記使い捨てライナが前記再利用可能な基底部内部の適所に配される場合、前記基底部上の前記隆起した縁部を備える前記再利用可能な基底部の前記リム上に置かれ、前記隆起した縁部は前記ライナ上の前記周縁部フランジを略包囲することを特徴とする請求項１記載のサンプルリザーバシステム。
【請求項７】
携帯式のピペットとともに使用するためのサンプルリザーバシステムであって、前記サンプルリザーバシステムは、細長い鉢部を有する再利用可能なリザーバ基底部を備え、前記鉢部の輪郭は一対の端壁と、前記鉢部の底面に沿って延出する細長い溝部と、前記端壁の間に延出する一対の細長い側壁とを備え、
前記サンプルリザーバシステムはさらに、使い捨てライナの入れ子状の堆積物を備え、各使い捨てライナは前記再利用可能な基底部の前記鉢部の前記輪郭に厳密に従う形状を備える鉢部を有し、前記使い捨てライナはプラスチック材料で作られ、また各ライナは一対の端壁及び一対の長手方向の側壁を備え、該一対の端壁及び一対の長手方向の側壁は、少なくとも約４０度の抜き勾配を有すると共に、入れ子になった堆積物からの前記使い捨てライナの解放を促進するさらなる手段を有し、これにより前記入れ子になったライナが使用のため互いに容易に解放されることを可能にする方法で、堆積した使い捨てライナを比較的高密度な入れ子状態にすることを可能とすることを特徴とするサンプルリザーバシステム。
【請求項８】
各使い捨てライナが、前記ライナの鉢部の上部周辺に延出する周縁部フランジを備え、前記鉢部は前記側壁及び前記端壁の交差部の近傍に配置された隅角部を有し、
前記使い捨てライナの前記入れ子状態の堆積物からの前記解放を促進するための前記手段が、前記周縁部フランジの下面に形成された隆起したビーズを、前記周縁部フランジの各隅角部に備えることを特徴とする請求項７記載のサンプルリザーバシステム。
【請求項９】
前記使い捨てライナの前記入れ子状態の堆積物からの前記解放を促進するための前記手段が化学剥離剤を備え、該化学剥離剤は前記使い捨てライナが作られる前記プラスチック材料に添加されて、前記使い捨てライナの少なくとも上面又は側部又は下面に被覆されることを特徴とする請求項７記載のサンプルリザーバシステム。
【請求項１０】
完全な入れ子状態の使い捨てライナの容積密度が、前記入れ子状態の堆積物の全容積当たりプラスチックが６０容積％以上であることを特徴とする請求項７記載のシステム。
【手続補正書】
【提出日】平成23年5月24日(2011.5.24)
【手続補正１】
【補正対象書類名】特許請求の範囲
【補正対象項目名】全文
【補正方法】変更
【補正の内容】
【特許請求の範囲】
【請求項１】
成分として
ａ）反応性物質を含有するポリマー基材、
ｂ）有機ポリヒドロキシ化合物、
ｃ）会合ポリマーマトリックスを形成する試薬、及び
ｄ）指示薬を含有する、
水中の遊離塩素を検出・定量する試薬含有薄膜センサ。
【請求項２】
薄膜センサは水溶液に曝露されると膨潤又は溶解し、前記試薬を放出し、前記試薬が遊離塩素と反応できるようになる、請求項１又は請求項２記載の薄膜センサ。
【請求項３】
薄膜センサは水溶液に曝露されると膨潤し、水溶液が薄膜センサ内に拡散して前記試薬と反応するようになる、請求項１乃至請求項３のいずれか１項記載の薄膜センサ。
【請求項４】
前記成分が、水素結合架橋を形成し、特定寸法又は形状を形成するのに望ましい粘度及びコンシステンシをもつ膜を形成する、請求項１乃至請求項４のいずれか１項記載の薄膜センサ。
【請求項５】
定量すべき遊離塩素と反応、錯体形成又は相互作用する指示薬を放出する、請求項１乃至請求項４のいずれか１項記載の薄膜センサ。
【請求項６】
遊離塩素との反応又は会合に応答して光学的特性を変化させる試薬を取込んでいる、請求項１乃至請求項５のいずれか１項記載の薄膜センサ。
【請求項７】
反応性物質を含有するポリマー基材から、ヒドロキシル基含有低分子量有機ポリヒドロキシ化合物と水素結合又は相互作用し、また可塑剤又は架橋試薬と反応するヒドロキシル基が簡単に得られる、請求項１乃至請求項６のいずれか１項記載の薄膜センサ。
【請求項８】
反応性物質を含有するポリマー基材が、ポリ（アニリン）、ポリ（チオフェン）、ポリ（ピロール）、ポリ（アセチレン）、ポリ（アルケン）、ポリ（ジエン）、ポリ（アクリル）、ポリ（メタクリル）、ポリ（ビニルエーテル）、ポリ（ビニルチオエーテル）、ポリ（ビニルアルコール）、ポリ（ビニルケトン）、ポリ（ハロゲン化ビニル）、ポリ（ビニルニトリル）、ポリ（ビニルエステル）、ポリ（スチレン）、ポリ（アリーレン）、ポリ（オキシド）、ポリ（カーボネート）、ポリ（エステル）、ポリ（無水物）、ポリ（ウレタン）、ポリ（スルホネート）、ポリ（シロキサン）、ポリ（スルフィド）、ポリ（チオエステル）、ポリ（スルホン）、ポリ（スルホンアミド）、ポリ（アミド）、ポリ（ウレア）、ポリ（ホスファゼン）、ポリ（シラン）、ポリ（シラザン）、ポリ（ベンゾオキサゾール）、ポリ（オキサジアゾール）、ポリ（ベンゾチアジノフェノチアジン）、ポリ（ベンゾチアゾール）、ポリ（ピラジノキノキサリン）、ポリ（ピロメリットイミド）、ポリ（キノキサリン）、ポリ（ベンゾイミダゾール）、ポリ（オキシインドール）、ポリ（オキソイソインドリン）、ポリ（ジオキソイソインドリン）、ポリ（トリアジン）、ポリ（ピリダジン）、ポリ（ピペラジン）、ポリ（ピリジン）、ポリ（ピペリジン）、ポリ（トリアゾール）、ポリ（ピラゾール）、ポリ（ピロリジン）、ポリ（カルボラン）、ポリ（オキサビシクロノナン）、ポリ（ジベンゾフラン）、ポリ（フタリド）、ポリ（アセタール）、ポリ（無水物）、炭水化物、上記材料のモノマー成分のコポリマー及びこれらの組合せからなる群から選択される、請求項１乃至請求項９のいずれか１項記載の薄膜センサ。
【請求項９】
反応性物質を含有するポリマー基材がヒドロゲルを含む、請求項１乃至請求項８のいずれか１項記載の薄膜センサ。
【請求項１０】
ヒドロゲルが、ポリ（アクリル酸）、ポリ（メタクリル酸）、ポリ（ヒドロキシエチルメタクリレート）、ポリ（グリセリルメタクリレート）、ポリ（ビニルアルコール）、ポリ（エチレンオキシド）、ポリ（アクリルアミド）、ポリ（Ｎ−アクリルアミド）、ポリ（Ｎ，Ｎ−ジメチルアミノプロピル−Ｎ'−アクリルアミド）、ポリ（エチレンイミン）、ナトリウムポリ（アクリレート）、カリウムポリ（アクリレート）、多糖類、ポリ（ビニルピロリドン）、セルロース誘導体、上記材料のモノマー成分のコポリマー及びこれらの組合せからなる群から選択される親水性ポリマーのラジカル架橋によって結びつけられている、請求項９記載の薄膜センサ。
【請求項１１】
ヒドロゲルが、Ｎ，Ｎ’−メチレンビスアクリルアミド、ポリエチレングリコールジアクリレート、トリエチレングリコールジアクリレート、テトラエチレングリコールジメタクリレート、トリプロピレングリコールジアクリレート、ペンタエリトリトールテトラアクリレート、ジトリメチロールプロパンテトラアクリレート、ジペンタエリトリトールペンタアクリレート、トリメチロールプロパントリアクリレート、ペンタエリトリトールトリアクリレート、プロポキシ化グリセリルトリアクリレート、エトキシ化ペンタエリトリトールテトラアクリレート、エトキシ化トリメチロールプロパントリアクリレート、ヘキサンジオールジアクリレート、ヘキサンジオールジメタクリレート及びこれらの組合せからなる群から選択される化学薬品との化学的架橋によって結びつけられているポリ（ヒドロキシエチルメタクリレート）ヒドロゲルである、請求項９記載の薄膜センサ。
【請求項１２】
反応性物質を含有するポリマー基材がポリマーブレンドを含む、請求項１乃至請求項１１のいずれか１項記載の薄膜センサ。
【請求項１３】
反応性物質を含有するポリマー基材がｐＨＥＭＡである、請求項１乃至請求項１２のいずれか１項記載の薄膜センサ。
【請求項１４】
有機ポリヒドロキシ化合物がグリセリンである、請求項１乃至請求項１３のいずれか１項記載の薄膜センサ。
【請求項１５】
ａ）反応性物質を含有するポリマー基材、
ｂ）有機ポリヒドロキシ化合物、
ｃ）会合ポリマーマトリックスを形成する試薬、及び
ｄ）指示薬を混合する工程を含む、
水中の遊離塩素を検出・定量する試薬含有薄膜センサの製造方法。
【手続補正書】
【提出日】平成23年5月31日(2011.5.31)
【手続補正１】
【補正対象書類名】明細書
【補正対象項目名】００９１
【補正方法】変更
【補正の内容】
【００９１】
利益、他の利点、および問題の解決策は、具体的な実施形態に関して上に記載されてきた。しかしながら、利益、利点、問題の解決策、および任意の利益、利点、または想到されるかもしくはより顕著になるための解決策をもたらすかもしれないいかなる特徴も、特許請求の範囲のいずれかまたは全ての決定的に重要な、必要な、または本質的な特徴と解釈されるべきではない。
ある種の特徴は、明確にするために、別個の実施形態との関連で本明細書に記載されており、単一実施形態で組み合わせて提供されてもよいことが理解されるべきである。逆に、簡潔にするために、単一実施形態との関連で記載される様々な特徴はまた、別々にまたは任意の副次的組み合わせで提供されてもよい。さらに、範囲で記載される値のいずれの言及にも、当該範囲内のそれぞれのおよびあらゆる値が含まれる。
【手続補正２】
【補正対象書類名】明細書
【補正対象項目名】００９２
【補正方法】変更
【補正の内容】
【００９２】
以上、本発明を要約すると下記のとおりである。
１．フッ素含有オレフィンを製造するためにクロロフルオロアルケンの塩素置換基の水素での置換を引き起こすのに十分な温度で触媒の存在下にクロロフルオロアルケンを水素と接触させる工程を含むフッ素含有オレフィンの製造方法。
２．触媒が、銅／炭素、銅／フッ化カルシウム、パラジウム／硫酸バリウム、パラジウム／塩化バリウム／アルミナ、リンドラー触媒（鉛で被毒されたパラジウム／ＣａＣＯ３）、鉛で被毒されたパラジウム／フッ化カルシウム、銅およびニッケル／炭素、ニッケル／炭素、ニッケル／フッ化カルシウム、銅／ニッケル／クロム／フッ化カルシウム、ならびに銅とニッケルとの非担持合金からなる群から選択される上記１に記載の方法。
３．触媒が銅／炭素、銅／フッ化カルシウム、銅およびニッケル／炭素、ニッケル／炭素、銅／ニッケル／クロム／フッ化カルシウム、ならびに銅とニッケルとの非担持合金からなる群から選択される上記１に記載の方法。
４．クロロフルオロアルケンが式ＲｆＣＣｌ＝ＣＣｌＲｆ（式中、各Ｒｆは、ＣＦ３、Ｃ２Ｆ５、ｎ−Ｃ３Ｆ７、ｉ−Ｃ３Ｆ７、ｎ−Ｃ４Ｆ９、ｉ−Ｃ４Ｆ９およびｔ−Ｃ４Ｆ９
からなる群から独立して選択されるパーフルオロアルキル基であり、そして式中Ｒｆ基の１つはＦであってもよい）を有する上記１に記載の方法。
５．各ＲｆがＣＦ３である上記４に記載の方法。
６．各Ｒｆがｎ−Ｃ３Ｆ７である上記４に記載の方法。
７．フッ素含有オレフィンが式Ｅ−またはＺ−Ｒ１ＣＨ＝ＣＨＲ２（式中、Ｒ１およびＲ２のそれぞれは、ＣＦ３、Ｃ２Ｆ５、ｎ−Ｃ３Ｆ７、ｉ−Ｃ３Ｆ７、ｎ−Ｃ４Ｆ９、ｉ−Ｃ４Ｆ９およびｔ−Ｃ４Ｆ９からなる群から独立して選択されるパーフルオロアルキル基であり、そして式中Ｒ２はＦであってもよい）を有する上記１に記載の方法。
８．Ｒ１およびＲ２のそれぞれがＣＦ３である上記７に記載の方法。
９．Ｒ１およびＲ２のそれぞれがｎ−Ｃ３Ｆ７である上記７に記載の方法。
１０．約２００℃〜約４５０℃の温度で行われる上記１に記載の方法。
１１．水素対クロロフルオロアルケンの比が約１：１〜約１０：１である上記１に記載の方法。
１２．水素対クロロフルオロアルケンの比が約１：１〜約７．５：１である上記１に記載の方法。
１３．銅／ニッケル／クロム／フッ化カルシウム触媒中の銅：ニッケル：クロムのモル比が約０〜約１銅：約０．５〜約３．０ニッケル、および約０〜約２クロムである上記３に記載の方法。
１４．炭素またはフッ化カルシウム上の銅の量が約１質量％〜約２５質量％である上記３に記載の方法。
１５．炭素またはフッ化カルシウム上の銅の量が約５質量％〜約２５質量％である上記３に記載の方法。
１６．担体上に沈着された銅金属を含むクロロフルオロアルケンの水素化脱塩素のための触媒組成物。
１７．担体が酸洗炭素またはフッ化カルシウムである上記１６に記載の触媒組成物。
１８．銅金属が触媒組成物の約５質量％〜約２５質量％を構成する上記１６に記載の触媒組成物。
１９．鉛で被毒された、フッ化カルシウム上に沈着されたパラジウムを含むクロロフルオロアルケンの水素化脱塩素のための触媒組成物。
２０．パラジウムが触媒組成物の約０．０２質量％〜約５質量％を構成する上記１９に記載の触媒組成物。
【手続補正３】
【補正対象書類名】特許請求の範囲
【補正対象項目名】全文
【補正方法】変更
【補正の内容】
【特許請求の範囲】
【請求項１】
フッ素含有オレフィンを製造するためにクロロフルオロアルケンの塩素置換基の水素での置換を引き起こすのに十分な温度で触媒の存在下にクロロフルオロアルケンを水素と接触させる工程を含むフッ素含有オレフィンの製造方法。
【請求項２】
担体上に沈着された銅金属を含むクロロフルオロアルケンの水素化脱塩素のための触媒組成物。
【請求項３】
鉛で被毒された、フッ化カルシウム上に沈着されたパラジウムを含むクロロフルオロアルケンの水素化脱塩素のための触媒組成物。
【手続補正書】
【提出日】平成23年1月19日(2011.1.19)
【手続補正１】
【補正対象書類名】特許請求の範囲
【補正対象項目名】全文
【補正方法】変更
【補正の内容】
【特許請求の範囲】
【請求項１】
気道中の生物膜を除去するための組成物であって、
(a)多糖類中の2個の単糖類を接続するか、または気道中の生物膜を破壊するのに十分な糖タンパク質中のタンパク質分子と単糖類を接続する結合の加水分解を触媒する一定量の少なくとも1種の酵素；ならびに
(b)気道への投与にとって好適な製薬上許容し得る担体、
を含む、前記組成物。
【請求項２】
多糖類中の2個の単糖類を接続するか、または糖タンパク質中のタンパク質分子と単糖類を接続する結合の加水分解を触媒する少なくとも1種の酵素が、キシラナーゼ、β-グルカナーゼ、セルラーゼ、α-ガラクトシダーゼ、グルカナーゼ、アミラーゼ、ヒアルロニダーゼ、ポリガラクツロナーゼ(ペクチナーゼ)、デキストラナーゼ、セロビオヒドロラーゼ、プルラナーゼ、グリコシルセラミダーゼ、グルカン1,4-α-グルコシダーゼ、オリゴ-1,6-グルコシダーゼ、フコイダナーゼ、グリコシルセラミダーゼ、チオグルコシダーゼ、および糖ペプチドN-グリコシダーゼからなる群より選択される、請求項１に記載の組成物。
【請求項３】
前記組成物が、気道中での炎症を防止または阻害するのに有効な量の少なくとも1種の成分をさらに含む、請求項１に記載の組成物。
【請求項４】
気道中での炎症を防止または阻害するのに有効な量の少なくとも1種の成分が、ヒドロコルチゾン、ベクロメタゾン、ブデノシド、シクレゾニド、フルニゾリド、フルチカゾン、メチルプレドニゾロン、プレドニゾロン、プレドニゾン、およびトリアムシノロン、ならびにその塩、溶媒和物、類似体、コンジナー、バイオイソスター、加水分解物、代謝物、前駆体、およびプロドラッグからなる群より好ましくは選択されるステロイドである、請求項３に記載の組成物。
【請求項５】
気道への投与にとって好適な製薬上許容し得る担体がプロピレングリコール、グリセロール、もしくはトリプロピレングリコール、またはそれらの組合せを含む、請求項１に記載の組成物。
【請求項６】
前記組成物が、肺炎マイコプラズマに対する殺菌作用を示すのに有効な量の、マイコプラズマ肺炎の治療において有効である抗生物質をさらに含む、請求項１に記載の組成物。
【請求項７】
前記抗生物質が、アミカシン、チカルシリン、ピペラシリン、メズロシリン、アズロシリン、セフタジジム、セフェピム、シプロフロキサシン、トブラマイシン、アズトレオナム、イミペネム、およびメロペネムからなる群より選択される、請求項６に記載の組成物。
【請求項８】
殺菌作用を示すのに十分な量の少なくとも1種の剤をさらに含む請求項１に記載の組成物であって、該剤が、以下：リゾチーム；ラクトフェリン；ラクトペルオキシダーゼ、ミエロペルオキシダーゼ、西洋わさびペルオキシダーゼ、好酸球ペルオキシダーゼ、およびグルタチオンペルオキシダーゼからなる群より好ましくは選択される少なくとも1種のペルオキシダーゼ；殺菌特性を有する有効濃度のイオンがペルオキシダーゼの触媒作用により産生されるような量の、ペルオキシダーゼの酵素作用により殺菌特性を有するイオンに変換することができる少なくとも1種の基質であって、該少なくとも1種の基質が好ましくはチオシアン酸、ヨウ素酸、または塩素酸のアルカリ金属塩である上記基質；アスコルビン酸ナトリウム、アスコルビン酸カリウム、アスコルビン酸カルシウム、パルミチン酸アスコルビル、およびその混合物からなる群より好ましくは選択されるカタラーゼ阻害剤；硫酸第一鉄、塩化第一鉄、およびヨウ化第一鉄からなる群より好ましくは選択される鉄塩；ならびにグルコースオキシダーゼ、ガラクトースオキシダーゼ、尿酸オキシダーゼ、コリンオキシダーゼ、D-アミノ酸オキシダーゼ、D-グルタミン酸オキシダーゼ、グリシンオキシダーゼ、グリコール酸オキシダーゼ、L-ソルボースオキシダーゼ、アルコールオキシダーゼ、およびアミンオキシダーゼからなる群より好ましくは選択されるオキシダーゼ、を含む群より選択される、上記組成物。
【請求項９】
前記組成物が、酸化された陰イオン殺生物剤の収率または蓄積を増加させるのに有効な量のアミノヘキソースをさらに含む、請求項８に記載の組成物。
【請求項１０】
アミノヘキソースが、グルコサミン、N-アセチルグルコサミン、およびその混合物からなる群より好ましくは選択されるアミノグルコースである、請求項９に記載の組成物。
【請求項１１】
前記組成物が、殺菌的に有効な量のオキシダーゼのための基質をさらに含む、請求項８に記載の組成物。
【請求項１２】
前記組成物が、プロセッシングの間に、および包装中に酵素作用を阻害する酵素固定粘度を有する組成物を提供するための増粘剤をさらに含む、請求項１に記載の組成物。
【請求項１３】
増粘剤がヒドロキシプロピルセルロースである、請求項１２に記載の組成物。
【請求項１４】
前記組成物の製剤が、
(a)約0.072％〜約0.0108％のペクチナーゼ；
(b)必要に応じて、約12.33％〜約18.49％のグリセロール；
(c)必要に応じて、約0.352％〜約0.528％のヒドロキシプロピルセルロース；および
(d)水が残りの組成を100％にするような割合の水、
を含む、請求項１に記載の組成物。
【請求項１５】
気道感染を治療するための、請求項１〜１４のいずれか1項に記載の組成物。
【手続補正書】
【提出日】平成23年7月4日(2011.7.4)
【手続補正１】
【補正対象書類名】特許請求の範囲
【補正対象項目名】全文
【補正方法】変更
【補正の内容】
【特許請求の範囲】
【請求項１】
ｉＲＮＡ薬剤の薬学的製剤であって次を含む：
（１）次を含む混合ミセル
（ａ）複数の両親媒性ｉＲＮＡ接合であって、前記接合の各々は親水性部分（ｍｏｉｅｔｙ）および疎水性部分（ｍｏｉｅｔｙ）を含み、ここで前記親水性部分（ｍｏｉｅｔｉｅｓ）の各々は前記ｉＲＮＡ薬剤のｉＲＮＡ部分（ｍｏｉｅｔｙ）を含む；
（ｂ）複数のミセル形成両親媒性分子であって、前記両親媒性分子の各々は親水性部分（ｍｏｉｅｔｙ）および疎水性部分（ｍｏｉｅｔｙ）を含み、ここで前記親水性部分（ｍｏｉｅｔｉｅｓ）の各々は前記ミセルの中心から放射状に延びる少なくとも１つの親水性鎖を含む；および
（２）薬学的に受容可能な担体
【請求項２】
請求項１の薬学的製剤であって：
ここで、前記複数の親水性鎖は前記混合ミセルの中心から放射状に延びる親水性層を形成する；そして
ここで、前記両親媒性ｉＲＮＡ接合は少なくとも前記ｉＲＮＡ部分（ｍｏｉｅｔｙ）の表面の一部は前記親水性層内にあるように前記混合ミセルに位置付けられる。
【請求項３】
請求項２の薬学的製剤であって：
ここで前記ｉＲＮＡ部分（ｍｏｉｅｔｙ）の表面の一部は前記親水性層を超えて外側へ放射状に延びない。
【請求項４】
請求項２の薬学的製剤であって：
ここで前記複数の親水性鎖は２０と５０ｎｍの間の平均主鎖長を有する。
【請求項５】
請求項２の薬学的製剤であって：
ここで前記複数の親水性鎖は１，５００と５，０００ｇ／ｍｏｌｅの間の平均分子量を有する。
【請求項６】
請求項１から請求項５のいずれか１項の薬学的製剤であって：
ここで前記ミセル形成両親媒性分子の疎水性部分（ｍｏｉｅｔｉｅｓ）は長鎖の脂肪酸、リン脂質、脂質および糖脂質のラジカルを含む群から選ばれる。
【請求項７】
請求項１から請求項６のいずれか１項の薬学的製剤であって：
ここで前記両親媒性ｉＲＮＡ接続の疎水性部分（ｍｏｉｅｔｉｅｓ）はコレステロール、長鎖の脂肪酸、脂質、リン脂質および糖脂質のラジカルを含む群から選ばれる。
【請求項８】
請求項６あるいは請求項７のいずれか１項の薬学的製剤であって：
ここで前記脂肪酸はブタン酸、ヘキサン酸、オクタン酸、デカン酸、ドデカン酸、テトラデカン酸、ヘキサデカン酸、オクタデカン酸、エイコサン酸、ドコサン酸、テトラコサン酸およびこれらの不飽和の異性体を含む群から選ばれる。
【請求項９】
請求項６あるいは請求項７のいずれか１項の薬学的製剤であって：
ここで前記リン脂質はホスファチジルエタノールアミン（ＰＥ）、ホスファチジルコリン（ＰＣ）、ホスファチジルグリセロール（ＰＧ）、ホスファチジルイノシトール（ＰＩ）、ホスファチジルセリン（ＰＳ）、ホスファチジン酸（ＰＡ）およびスフィンゴミエリンを含む群から選ばれる。
【請求項１０】
請求項６あるいは請求項７のいずれか１項の薬学的製剤であって：
ここで前記糖脂質はガラクト脂質、硫脂質、セレブロシドおよびガングリオシドを含む群から選ばれる。
【請求項１１】
請求項１から請求項１０のいずれか１項の薬学的製剤であって：
ここで前記ミセル形成両親媒性分子の親水性部分（ｍｏｉｅｔｉｅｓ）はＰＥＧ、ＰＥＩ、ポリビニールピロリドン、ポリアクリルアミド、ポリビニールアルコール、ポリオキサゾリン、ポリモルホリン、キトサンおよび水溶性ペプチドのラジカルを含む群から選ばれる。
【請求項１２】
請求項１１の薬学的製剤であって：
ここで前記親水性部分（ｍｏｉｅｔｉｅｓ）は１，５００と５，０００ｇ／ｍｏｌｅの間の平均分子量を有するＰＥＧラジカルである。
【請求項１３】
請求項１の薬学的製剤であって：
前記両親媒性のｉＲＮＡ複合体において、前記親水性部分がジスルフィド連結を介して前記疎水性部分に接合する。
【請求項１４】
細胞内標的に前記ｉＲＮＡ薬剤の送達を増加する方法における使用のための請求項１から１３の何れかによるｉＲＮＡ薬剤の薬学的製剤であり、
前記薬学的製剤は、細胞外に投与され、
ここで、前記薬学的製剤における前記ｉＲＮＡ薬剤の、前記細胞内標的への送達は、前記薬学的製剤のみの前記薬学的に受容可能な担体における前記ｉＲＮＡ製剤の送達に比べて、増加される。
【請求項１５】
前記ｉＲＮＡ薬剤の細胞外ヌクレアーゼ分解を減少させる方法における使用のための請求項１から１３の何れかによるｉＲＮＡ薬剤の薬学的製剤であり、
ここで、前記薬学的製剤における前記ｉＲＮＡ薬剤の細胞外ヌクレアーゼ分解が、前記薬学的製剤のみの前記薬学的に受容可能な担体における前記ｉＲＮＡ薬剤の分解に比べて、減少される。
【手続補正書】
【提出日】平成23年5月30日(2011.5.30)
【手続補正１】
【補正対象書類名】特許請求の範囲
【補正対象項目名】全文
【補正方法】変更
【補正の内容】
【特許請求の範囲】
【請求項１】
式(I)：
【化１】
2010532780.tif 000001
(式(I)中、
R1は-OCH3であり、R2はOHであり、R3及びR4はHであり、mは0であるか又はmは1であり、Y1は-CH=CH-(CH2)m1 (ここで、m1は0である)であるか、或いは
R1及びR2はOHであり、R3及びR4はHであり、mは0であるか又はmは1であり、Y1は-CH=CH-(CH2)m1 (ここで、m1は0である)であるか又はY1は-(CH2)m2- (ここで、m2は2である)であるか、或いは
R1、R3及びR4はHであり、R2はOHであり、mは0であるか又はmは1であり、Y1は-CH=CH-(CH2)m1 (ここで、m1は0である)であるか、又はY1は-(CH2)m2- (ここで、m2は2である)であるか、
R1、R2及びR3はOHであり、R4はHであり、mは0であるか、
R1及びR3は-OCH3であり、R2はOHであり、R4はHであり、mは0であるか；
R1はOHであり、R2は-OCH3であり、R3及びR4はHであり、mは0であるか；
R1はOHであり、R2及びR3はHであり、R4は-OCH3であり、mは0であるか；
R1及びR4はOHであり、R2及びR3はHであり、mは0であるか、
R1及びR3はHであり、R2及びR4はOHであり、mは0であり；
Xは、-OC(O)-、-OC(O)O-、-C(O)O-、-C(O)NR6-、-C(O)S- (ここで、R6はH又は(C1〜C5)-アルキルである)であり；
Yは、
a) (C1〜C10)アルキレン又は-ONO2で置換された(C1〜C10)アルキレン；
【化９】
2010532780.tif 000002
(式中、nは、0又は1であり、n1は、1〜5の整数である)；
【化１０】
2010532780.tif 000003
(式中、X2は、-O-であり、n3は1であり、R2はHである)；
【化１１】
2010532780.tif 000004
(式中、n4は1であり、n5は1〜5の整数であり、
R4、R5、R6、R7は、Hであり、
Y3は、次の：
【化２０】
2010532780.tif 000005
である）から選択される）
の化合物、又はその医薬的に許容される塩若しくは立体異性体を含む、慢性神経因性疼痛の治療用医薬組成物。
【請求項２】
式(I)の化合物が、フェルラ酸 4-(ニトロオキシ)ブチルエステルである請求項1に記載の医薬組成物。
【請求項３】
請求項1に記載の式(I)の化合物と、ガバペンチン、プレガバリン及びチアガビンの群から選択される鎮痛剤との組み合わせを含む医薬組成物。
【請求項４】
フェルラ酸 4-(ニトロオキシ)ブチルエステルとガバペンチンとの組み合わせを含む、請求項3に記載の医薬組成物。
【請求項５】
慢性神経因性疼痛の治療用の請求項3又は4に記載の医薬組成物。
【請求項６】
請求項3又は4に記載の組み合わせと、医薬的に許容される賦形剤とを含む医薬組成物。
【手続補正書】
【提出日】平成23年7月1日(2011.7.1)
【手続補正１】
【補正対象書類名】特許請求の範囲
【補正対象項目名】請求項７
【補正方法】変更
【補正の内容】
【請求項７】
固形腫瘍が、扁平上皮、膀胱、胃、腎臓、頭頸部、食道、子宮頸部、甲状腺、腸、肝臓、脳、前立腺、尿生殖路、リンパ系、喉頭および／または肺の腫瘍の群に由来する、請求項６に記載の使用。
【手続補正２】
【補正対象書類名】特許請求の範囲
【補正対象項目名】請求項１１
【補正方法】変更
【補正の内容】
【請求項１１】
腫瘍が、急性骨髄性白血病、慢性骨髄性白血病、急性リンパ性白血病および／または慢性リンパ性白血病の群に由来する、請求項１０に記載の使用。
【手続補正３】
【補正対象書類名】明細書
【補正対象項目名】００７３
【補正方法】変更
【補正の内容】
【００７３】
好ましいのは、さらに、血液および免疫系の腫瘍を処置するための、好ましくは急性骨髄性白血病、慢性骨髄性白血病、急性リンパ性白血病および／または慢性リンパ性白血病の群から選択される腫瘍を処置するための使用である。
【手続補正書】
【提出日】平成23年4月1日(2011.4.1)
【手続補正１】
【補正対象書類名】特許請求の範囲
【補正対象項目名】全文
【補正方法】変更
【補正の内容】
【特許請求の範囲】
【請求項１】
少なくとも１つのアルキル基と少なくとも１つのアリール又は芳香族基とを含む少なくとも１種のシリコン系材料；
少なくとも１種の触媒；及び
少なくとも１種の溶媒；
を含む架橋可能な組成物。
【請求項２】
請求項１に記載の組成物から作製される架橋フィルム。
【請求項３】
フィルムが、少なくとも１種の浸食性のエッチング用化学薬品に対してエッチング耐性である、請求項２に記載の架橋フィルム。
【請求項４】
請求項２に記載の架橋フィルムを含むオプトエレクトロニクスデバイス。
【請求項５】
オプトエレクトロニクスデバイスが、トランジスタ、発光ダイオード、カラーフィルター、ステンレス鋼もしくはプラスチックの表面、光起電力電池、フラットパネルディスプレイ、電気泳動ディスプレイ、Ｘ線検出器、アクティブマトリクス薄膜有機発光ディスプレイ、パッシブマトリクス有機発光ディスプレイ、アクティブマトリクス薄膜トランジスタ液晶ディスプレイ、またはこれらの組み合わせを含む、請求項４に記載のオプトエレクトロニクスデバイス。
【請求項６】
架橋フィルムが、９５％より高い光学的透過率、最大で約３．５μｍの厚さ、またはこれらの組み合わせを有する、請求項４に記載のオプトエレクトロニクスデバイス。
【請求項７】
４００ｎｍ〜８００ｎｍに対して少なくとも約９５％の透過率を有し、そして更に、１０Å未満の二乗平均平方根表面粗さ、約１．５以上の屈折率、及び、少なくとも約２．５ＭＶ／ｃｍの電界絶縁破壊電圧、の特性のうちの少なくとも１つを有する、シリコン系架橋フィルム。
【手続補正書】
【提出日】平成23年6月30日(2011.6.30)
【手続補正１】
【補正対象書類名】明細書
【補正対象項目名】００６０
【補正方法】変更
【補正の内容】
【００６０】
本発明にとって重要である分散体中の有機溶媒の残留含有量は、典型的には、分散体全体に基づいて１．０重量％未満、好ましくは０．３重量％未満である。
【手続補正２】
【補正対象書類名】明細書
【補正対象項目名】００８５
【補正方法】変更
【補正の内容】
【００８５】
比較的高さのあるフォーム厚さを生じるため、多種多様な基材に複数の層としてフォームを適用することもでき、或いは型にフォームを流し込むこともできる。
本発明の好ましい態様は、以下を包含する。
［１］湿潤フォームをマイクロ波放射に付す、フォームの乾燥方法。
［２］乾燥させる湿潤フォームの含水量が１５〜６０重量％であることを特徴とする、上記［１］に記載の方法。
［３］使用するマイクロ波放射が、周波数が２．０〜３．０ＧＨｚまたは０．８〜１．５ＧＨｚの範囲である電磁波放射を含むことを特徴とする、上記［１］または［２］に記載の方法。
［４］マイクロ波放射による乾燥と同時、乾燥前または乾燥後に、熱乾燥を付加的に実施することを特徴とする、上記［１］〜［３］のいずれかに記載の方法。
［５］乾燥させる湿潤フォームが、水性ＰＵ分散体および適切な場合には更なる成分から、発泡により得られることを特徴とする、上記［１］〜［４］のいずれかに記載の方法。
［６］ＰＵ分散体が、４０〜６３重量％の固形分を有する、ポリウレタン分散体またはポリウレタン−ポリウレア分散体であることを特徴とする、上記［５］に記載の方法。
［７］Ａ）ａ１）脂肪族ポリイソシアネートまたは脂環式ポリイソシアネート、
ａ２）４００〜８０００ｇ／ｍｏｌの数平均モル質量および１．５〜６のＯＨ官能価を有する高分子ポリオール、
ａ３）適切な場合には、イオン性または潜在イオン性および／または非イオン性のヒドロキシ官能性親水化剤
からなるイソシアネート官能性プレポリマーを調製し、
Ｂ）次いで、その遊離ＮＣＯ基と
ｂ１）３２〜４００ｇ／ｍｏｌのモル質量を有するアミノ官能性化合物および／または
ｂ２）イオン性または潜在イオン性のアミノ官能性親水化剤
とを連鎖延長させながら完全にまたは部分的に反応させ、工程Ｂ）の前または後に、該プレポリマーを水に分散させる
ことによってＰＵ分散体を得ることを特徴とし、適切な場合には、存在する潜在イオン性基を中和剤で部分的にまたは完全に反応させることによりイオン状態に転化させてよい、上記［５］または［６］に記載の方法。
［８］ＰＵ分散体の調製において、ポリカーボネートポリオールおよびポリテトラメチレングリコールポリオールからなる混合物である成分ａ２）と組み合わせて、イソホロンジイソシアネートおよび／または１，６−ヘキサメチレンジイソシアネートおよび／または異性体ビス（４，４’−イソシアナトシクロヘキシル）メタンである成分ａ１）を使用することを特徴とする、上記［７］に記載の方法。
［９］乾燥前の湿潤フォームのフォーム密度が２５０〜６００ｇ／リットルであり、乾燥後のフォーム密度が２００〜５５０ｇ／リットルであることを特徴とする、上記［１］〜［８］のいずれかに記載の方法。
［１０］湿潤フォームが、高さが最大３０ｍｍであるフォームシート、高さが５〜３０ｍｍであり幅が１〜３０ｍｍであるフォームストランド、または長さ、幅および高さの各々に関する寸法が１〜３０ｍｍである成形品であることを特徴とする、上記［１］〜［８］のいずれかに記載の方法。
【手続補正３】
【補正対象書類名】特許請求の範囲
【補正対象項目名】全文
【補正方法】変更
【補正の内容】
【特許請求の範囲】
【請求項１】
湿潤フォームをマイクロ波放射に付す、フォームの乾燥方法。
【請求項２】
使用するマイクロ波放射が、周波数が２．０〜３．０ＧＨｚまたは０．８〜１．５ＧＨｚの範囲である電磁波放射を含むことを特徴とする、請求項１に記載の方法。
【請求項３】
乾燥させる湿潤フォームが、水性ＰＵ分散体および適切な場合には更なる成分から、発泡により得られることを特徴とする、請求項１または２に記載の方法。
【請求項４】
ＰＵ分散体が、４０〜６３重量％の固形分を有する、ポリウレタン分散体またはポリウレタン−ポリウレア分散体であることを特徴とする、請求項３に記載の方法。
【請求項５】
Ａ）ａ１）脂肪族ポリイソシアネートまたは脂環式ポリイソシアネート、
ａ２）４００〜８０００ｇ／ｍｏｌの数平均モル質量および１．５〜６のＯＨ官能価を有する高分子ポリオール、
ａ３）適切な場合には、イオン性または潜在イオン性および／または非イオン性のヒドロキシ官能性親水化剤
からなるイソシアネート官能性プレポリマーを調製し、
Ｂ）次いで、その遊離ＮＣＯ基と
ｂ１）３２〜４００ｇ／ｍｏｌのモル質量を有するアミノ官能性化合物および／または
ｂ２）イオン性または潜在イオン性のアミノ官能性親水化剤
とを連鎖延長させながら完全にまたは部分的に反応させ、工程Ｂ）の前または後に、該プレポリマーを水に分散させる
ことによってＰＵ分散体を得ることを特徴とし、適切な場合には、存在する潜在イオン性基を中和剤で部分的にまたは完全に反応させることによりイオン状態に転化させてよい、請求項３または４に記載の方法。
【請求項６】
ＰＵ分散体の調製において、ポリカーボネートポリオールおよびポリテトラメチレングリコールポリオールからなる混合物である成分ａ２）と組み合わせて、イソホロンジイソシアネートおよび／または１，６−ヘキサメチレンジイソシアネートおよび／または異性体ビス（４，４’−イソシアナトシクロヘキシル）メタンである成分ａ１）を使用することを特徴とする、請求項５に記載の方法。
【手続補正書】
【提出日】平成23年6月21日(2011.6.21)
【手続補正１】
【補正対象書類名】特許請求の範囲
【補正対象項目名】全文
【補正方法】変更
【補正の内容】
【特許請求の範囲】
【請求項１】
複数の量子閉じ込め半導体ナノ結晶で構成されるナノ材料と、
複数の散乱粒子と、
および液体媒体と、
で構成される、インク組成物。
【請求項２】
散乱粒子が金属または金属酸化物粒子、気泡、中実ガラスビーズ、または中空ガラスビーズを含む、請求項１に記載のインク組成物。
【請求項３】
散乱粒子がＴｉＯ２、ＳｉＯ２、ＢａＴｉＯ３、およびＺｎＯを含む、請求項１に記載のインク組成物。
【請求項４】
散乱粒子の少なくとも一部が球形状を有する、請求項１に記載のインク組成物。
【請求項５】
散乱粒子が球形状を有する、請求項１に記載のインク組成物。
【請求項６】
散乱粒子の少なくとも一部が、液体媒質中での分散性および安定性を改善するための表面処理を含む、請求項１に記載のインク組成物。
【請求項７】
散乱粒子が平均粒径０．２μｍのＴｉＯ２の粒子で構成される、請求項１に記載のインク組成物。
【請求項８】
散乱粒子の濃度が０．００１〜２０重量％の範囲にある、請求項１に記載のインク組成物。
【請求項９】
散乱粒子の濃度が０．１〜１０重量％の範囲にある、請求項１に記載のインク組成物。
【請求項１０】
散乱粒子の濃度が０．１〜３重量％の範囲にある、請求項１に記載のインク組成物。
【請求項１１】
インク組成物が液体媒体１ｍｌに付き、量子閉じ込め半導体ナノ結晶を少なくとも約０．１ｍｇ含む、請求項１に記載のインク組成物。
【請求項１２】
インク組成物が液体媒体１ｍｌに付き、量子閉じ込め半導体ナノ結晶を少なくとも約１ｍｇ含む、請求項１に記載のインク組成物。
【請求項１３】
インク組成物が液体媒体１ｍｌに付き、量子閉じ込め半導体ナノ結晶を少なくとも約５ｍｇ含む、請求項１に記載のインク組成物。
【請求項１４】
インク組成物が液体媒体１ｍｌに付き、量子閉じ込め半導体ナノ結晶を少なくとも約１０ｍｇ含む、請求項１に記載のインク組成物。
【請求項１５】
インク組成物が液体媒体１ｍｌに付き、量子閉じ込め半導体ナノ結晶を少なくとも約２５ｍｇ含む、請求項１に記載のインク組成物。
【請求項１６】
インク組成物が液体媒体１ｍｌに付き、量子閉じ込め半導体ナノ結晶を少なくとも約５０ｍｇ含む、請求項１に記載のインク組成物。
【請求項１７】
量子閉じ込め半導体ナノ結晶の少なくとも一部がコア／シェル構造で構成される、請求項１に記載のインク組成物。
【請求項１８】
インク組成物が分散物で構成される、請求項１に記載のインク組成物。
【請求項１９】
インク組成物がコロイド状分散物で構成される、請求項１に記載のインク組成物。
【請求項２０】
複数の量子閉じ込めコア−シェル半導体ナノ結晶で構成されるナノ材料と、
複数の散乱粒子と、
液体媒体と、
で構成されるインク組成物であって、液体媒体は、架橋することが可能である１つ以上の官能基を含む、インク組成物。
【請求項２１】
官能単位がＵＶ処理によって架橋可能である、請求項２０に記載のインク組成物。
【請求項２２】
官能単位が熱処理によって架橋可能である、請求項２０に記載のインク組成物。
【請求項２３】
架橋することが可能である１個以上の官能基を含む組成物および液体媒体が同じである、請求項２０に記載のインク組成物。
【請求項２４】
液体媒体が、液体媒質およびこれ自体が架橋することが可能である１個以上の官能基を含む組成物の混合物で構成される、請求項２０に記載のインク組成物。
【請求項２５】
架橋することが可能である１個以上の官能基を含む組成物が、共溶媒を液体媒体と共に含む、請求項２０に記載のインク組成物。
【請求項２６】
インク組成物が分散物で構成される、請求項２０に記載のインク組成物。
【請求項２７】
インク組成物がコロイド状分散物で構成される、請求項２０に記載のインク組成物。
【請求項２８】
複数の半導体ナノ結晶およびＴｉＯ２で構成される散乱粒子で構成されるインク組成物であって、散乱粒子が約１〜約５重量％の範囲の濃度で含まれる、インク組成物。
【請求項２９】
ナノ材料および液体媒体で構成され、液体媒体は過フルオロ化合物で構成される、インク組成物。
【請求項３０】
液体媒体がＦｌｕｏｒｉｎｅｒｔ  ＦＣ−７７で構成される、請求項２９に記載のインク組成物。
【請求項３１】
散乱体をさらに含む、請求項２９に記載のインク組成物。
【請求項３２】
ナノ材料が半導体ナノ結晶で構成される、請求項２９に記載のインク組成物。
【請求項３３】
半導体ナノ結晶の少なくとも一部が半導体ナノ結晶の表面にフッ化リガンドを含む、請求項３２に記載のインク組成物。
【手続補正書】
【提出日】平成23年6月30日(2011.6.30)
【手続補正１】
【補正対象書類名】明細書
【補正対象項目名】００４７
【補正方法】変更
【補正の内容】
【００４７】
ポリウレタンフォームは、インサイチュフォーム、例えば窓枠および戸枠のシーリングまたは固定のためのインサイチュフォーム（アセンブリフォーム（assembly foam））として使用され得、かつブロックフォームまたは成形フォームとして硬化され得る。それらは更なる加工段階で結合、ラミネートまたは被覆され得る。２つの基材の間にフォームを適用してサンドイッチパネルを製造することも考えられる。別の適用分野は、発泡シールを製造するためのフォームのインサイチュ適用である。
【手続補正書】
【提出日】平成23年6月30日(2011.6.30)
【手続補正１】
【補正対象書類名】特許請求の範囲
【補正対象項目名】全文
【補正方法】変更
【補正の内容】
【特許請求の範囲】
【請求項１】
薬学的に許容される担体及びＰＳＤ９５とＮＭＤＡ受容体との特異的結合を阻害する薬剤を含む、患者の不安の症状の予防又は治療のための医薬組成物。
【手続補正書】
【提出日】平成23年7月7日(2011.7.7)
【手続補正１】
【補正対象書類名】特許請求の範囲
【補正対象項目名】全文
【補正方法】変更
【補正の内容】
【特許請求の範囲】
【請求項１】
被験体におけるポルフィロモナス・ジンジバリスのバイオフィルムを予防、抑制又は低減するための医薬組成物であって、活性成分として、バイオフィルム形成及び／又はバイオフィルム発達を調節するポリペプチドの阻害剤を含む、医薬組成物。
【請求項２】
被験体におけるポルフィロモナス・ジンジバリス感染症を予防、抑制又は治療するための医薬組成物であって、活性成分として、バイオフィルムの形成及び／又は発達を調節するポリペプチドの阻害剤を含む、医薬組成物。
【請求項３】
前記ポリペプチドが酵素である、請求項１に記載の医薬組成物。
【請求項４】
前記ポリペプチドがフマル酸レダクターゼである、請求項１〜３のいずれか一項に記載の医薬組成物。
【請求項５】
前記阻害剤が、ＡＡＱ６５４６２、ＡＡＱ６５７４２、ＡＡＱ６６９９１、ＡＡＱ６５８００、ＡＡＱ６５５６１、ＡＡＱ６６８３１、ＡＡＱ６６７９７、ＡＡＱ６６４６９、ＡＡＱ６６５８７、ＡＡＱ６６６５４、ＡＡＱ６６９７７、ＡＡＱ６５７９７、ＡＡＱ６５８６７、ＡＡＱ６５８６８、ＡＡＱ６５４１６、ＡＡＱ６５４４９、ＡＡＱ６６０５１、ＡＡＱ６６３７７、ＡＡＱ６６４４４、ＡＡＱ６６５３８、ＡＡＱ６７１１７、ＡＡＱ６７１１８、ＡＡＱ６６６４２及びＡＡＱ６６６４３から成る群から選択されるアクセッション番号に対応するタンパク質のいずれか１つの阻害剤である、請求項１〜４のいずれか一項に記載の医薬組成物。
【請求項６】
前記阻害剤がフマル酸レダクターゼ活性の阻害剤である、請求項１〜５のいずれか一項に記載の医薬組成物。
【請求項７】
前記阻害剤が、ＡＡＱ６６６４２若しくはＡＡＱ６６６４３、又はその両方の阻害剤である、請求項１〜６のいずれか一項に記載の医薬組成物。
【請求項８】
被験体におけるポルフィロモナス・ジンジバリスのバイオフィルムを予防、抑制又は低減するための医薬組成物であって、阻害剤を含み、該阻害剤がオキサンテル、モランテル又はチアベンダゾールから成る群から選択される、医薬組成物。
【請求項９】
ポルフィロモナス・ジンジバリス感染症の予防、抑制又は治療に有用な組成物であって、バイオフィルムの形成及び／又は発達を低減又は抑制するためにポリペプチドのアンタゴニスト、又はアンタゴニストの組合せ等の阻害剤を含む、組成物。
【請求項１０】
ポルフィロモナス・ジンジバリス感染症の予防、抑制又は治療に有用な組成物であって、バイオフィルムの形成及び／又は発達を低減又は抑制するためにポリペプチドのアンタゴニスト、又はアンタゴニストの組合せ等の阻害剤を含み、抗生物質をさらに含む、組成物。
【請求項１１】
歯周病の予防若しくは治療、又はポルフィロモナス・ジンジバリス感染症の治療に有用な組成物であって、阻害剤及び抗生物質を含む、組成物。
【請求項１２】
歯周病の予防又は治療に有用な組成物であって、バイオフィルムの形成及び／又は発達を低減又は抑制するためにポリペプチドのアンタゴニスト、又はアンタゴニストの組合せを含む、組成物。
【請求項１３】
治療上の有効量の、請求項９又は１０に記載の組成物を含む、歯周病を治療するための医薬組成物。
【手続補正書】
【提出日】平成23年4月28日(2011.4.28)
【手続補正１】
【補正対象書類名】明細書
【補正対象項目名】００２３
【補正方法】変更
【補正の内容】
【００２３】
本発明は、式Ｉ
【化１】
2010532768.tif 000001
式中、
Ｒ１は、ＡｒまたはＨｅｔを示し、
Ｒ２は、１〜４個のＮ、Ｏおよび／またはＳ原子を有し、非置換であるか、またはＨａｌ、Ａ、［Ｃ（Ｒ３）２］ｎＯＲ３、Ｎ＝ＣＲ３Ｎ（Ｒ３）２、ＳＲ３、ＮＯ２、ＣＮ、ＣＯＯＲ３、ＣＯＮ（Ｒ３）２、ＮＲ３ＣＯＡ、ＮＲ３ＳＯ２Ａ、ＳＯ２Ｎ（Ｒ３）２、Ｓ（Ｏ）ｍＡ、［Ｃ（Ｒ３）２］ｎＮ（Ｒ３）２、［Ｃ（Ｒ３）２］ｎＨｅｔ、Ｏ［Ｃ（Ｒ３）２］ｐＯＲ３、Ｏ［Ｃ（Ｒ３）２］ｎＮ（Ｒ３）２、Ｏ［Ｃ（Ｒ３）２］ｎＣ≡Ｃ［Ｃ（Ｒ３）２］ｎＮ（Ｒ３）２、Ｏ［Ｃ（Ｒ３）２］ｎＮ＋Ｏ−（Ｒ３）２、Ｏ［Ｃ（Ｒ３）２］ｎＨｅｔ、Ｓ［Ｃ（Ｒ３）２］ｎＮ（Ｒ３）２、Ｓ［Ｃ（Ｒ３）２］ｎＨｅｔ、ＮＲ３［Ｃ（Ｒ３）２］ｎＮ（Ｒ３）２、ＮＲ３［Ｃ（Ｒ３）２］ｎＨｅｔ、ＮＨＣＯＮ（Ｒ３）２、ＮＨＣＯＮＨ［Ｃ（Ｒ３）２］ｎＮ（Ｒ３）２、ＮＨＣＯＮＨ［Ｃ（Ｒ３）２］ｎＨｅｔ、［Ｃ（Ｒ３）２］ｎＮＨＣＯ［Ｃ（Ｒ３）２］ｎＮ（Ｒ３）２、［Ｃ（Ｒ３）２］ｎＮＨＣＯ［Ｃ（Ｒ３）２］ｎＨｅｔ、ＣＯＮ（Ｒ３）２、ＣＯＮＲ３［Ｃ（Ｒ３）２］ｎＮ（Ｒ３）２、ＣＯＮＲ３［Ｃ（Ｒ３）２］ｎＮＲ３ＣＯＯＡ、ＣＯＮＲ３［Ｃ（Ｒ３）２］ｎＯＲ３、ＣＯＮＲ３［Ｃ（Ｒ３）２］ｎＨｅｔ、ＣＯＨｅｔ、ＣＯＡ、ＣＨ＝ＣＨ−ＣＯＯＲ３、ＣＨ＝ＣＨ−Ｎ（Ｒ３）２および／または＝Ｏ（カルボニル酸素）により単置換、二置換もしくは三置換されていてもよい、不飽和、飽和または芳香族の６員環複素環を示し、
【手続補正２】
【補正対象書類名】明細書
【補正対象項目名】０１２４
【補正方法】変更
【補正の内容】
【０１２４】
好ましいのは、さらに、血液および免疫系の腫瘍を処置するための、好ましくは急性骨髄性白血病、慢性骨髄性白血病、急性リンパ性白血病および／または慢性リンパ性白血病の群から選択される腫瘍を処置するための使用である。
【手続補正３】
【補正対象書類名】特許請求の範囲
【補正対象項目名】請求項１９
【補正方法】変更
【補正の内容】
【請求項１９】
請求項１〜１４のいずれかに記載の化合物による、Ｍｅｔキナーゼの阻害により影響される疾患の処置のための医薬の製造のための、請求項１７に記載の使用。
【手続補正４】
【補正対象書類名】特許請求の範囲
【補正対象項目名】請求項２１
【補正方法】変更
【補正の内容】
【請求項２１】
固形腫瘍が、扁平上皮、膀胱、胃、腎臓、頭頸部、食道、子宮頸部、甲状腺、腸、肝臓、脳、前立腺、尿生殖路、リンパ系、喉頭および／または肺の腫瘍の群に由来する、請求項２０に記載の使用。
【手続補正５】
【補正対象書類名】特許請求の範囲
【補正対象項目名】請求項２５
【補正方法】変更
【補正の内容】
【請求項２５】
腫瘍が、急性骨髄性白血病、慢性骨髄性白血病、急性リンパ性白血病および／または慢性リンパ性白血病の群に由来する、請求項２４に記載の使用。
【手続補正６】
【補正対象書類名】特許請求の範囲
【補正対象項目名】請求項２７
【補正方法】変更
【補正の内容】
【請求項２７】
（ａ）請求項１〜１４のいずれかに記載の式Ｉで表される化合物および／または、これらの薬学的に使用可能な誘導体、溶媒和物、塩および／または立体異性体、および／またはすべての比率でのこれらの混合物の有効量、
ならびに
（ｂ）さらなる医薬活性成分の有効量
の個別のパックからなる、セット（キット）。
【手続補正書】
【提出日】平成23年7月7日(2011.7.7)
【手続補正１】
【補正対象書類名】特許請求の範囲
【補正対象項目名】全文
【補正方法】変更
【補正の内容】
【特許請求の範囲】
【請求項１】
被験体におけるポルフィロモナス・ジンジバリスに対する免疫応答を生じさせる際に使用する組成物であって、免疫応答を生じさせるための有効量の、ＡＡＱ６５４６２、ＡＡＱ６５７４２、ＡＡＱ６６９９１、ＡＡＱ６５５６１、ＡＡＱ６６８３１、ＡＡＱ６６７９７、ＡＡＱ６６４６９、ＡＡＱ６６５８７、ＡＡＱ６６６５４、ＡＡＱ６６９７７、ＡＡＱ６５７９７、ＡＡＱ６５８６７、ＡＡＱ６５８６８、ＡＡＱ６５４１６、ＡＡＱ６５４４９、ＡＡＱ６６０５１、ＡＡＱ６６３７７、ＡＡＱ６６４４４、ＡＡＱ６６５３８、ＡＡＱ６７１１７及びＡＡＱ６７１１８から成る群から選択されるアクセッション番号に対応するポリペプチドの、少なくとも１つの抗原性部分又は免疫原性部分を含む、組成物。
【請求項２】
前記部分が、前記ポリペプチドの１つの少なくとも５０個のアミノ酸と実質的に同一であるアミノ酸配列を有する、請求項１に記載の組成物。
【請求項３】
前記ポリペプチドが、ＡＡＱ６５４６２、ＡＡＱ６６９９１、ＡＡＱ６５５６１及びＡＡＱ６６８３１から成る群から選択されるアクセッション番号に対応する、請求項１又は２に記載の組成物。
【請求項４】
前記ポリペプチドがアクセッション番号ＡＡＱ６５７４２に対応する、請求項１又は２に記載の組成物。
【請求項５】
被験体におけるポルフィロモナス・ジンジバリスに対する免疫応答を生じさせる際に使用する組成物であって、免疫応答を生じさせるための有効量の、ポルフィロモナス・ジンジバリスにより発現され、且つＣＥＬＬＯプログラムにより細胞外にあることが予測されるポリペプチドの少なくとも５０個のアミノ酸と実質的に同一であるアミノ酸配列を有する少なくとも１つのポリペプチドを含む、組成物。
【請求項６】
被験体におけるポルフィロモナス・ジンジバリスに対する免疫応答を生じさせる際に使用する組成物であって、免疫応答を生じさせるための有効量の、マウス又はウサギにおいて免疫応答を引き起こすポリペプチドの少なくとも５０個のアミノ酸と実質的に同一である選択されたアミノ酸配列を有する少なくとも１つのポリペプチドを含む、組成物。
【請求項７】
被験体を歯周病に関して防止、抑制又は治療するための薬学的組成物であって、主成分として、有効量の、請求項１〜６のいずれか一項に記載の組成物を含む、薬学的組成物。
【請求項８】
被験体をポルフィロモナス・ジンジバリス感染症に関して防止又は治療するための薬学的組成物であって、主成分として、請求項１〜７のいずれか一項に記載の組成物を含む、薬学的組成物。
【請求項９】
アクセッション番号ＡＡＱ６５４６２、ＡＡＱ６５７４２、ＡＡＱ６６９９１、ＡＡＱ６５５６１、ＡＡＱ６６８３１、ＡＡＱ６６７９７、ＡＡＱ６６４６９、ＡＡＱ６６５８７、ＡＡＱ６６６５４、ＡＡＱ６６９７７、ＡＡＱ６５７９７、ＡＡＱ６５８６７、ＡＡＱ６５８６８、ＡＡＱ６５４１６、ＡＡＱ６５４４９、ＡＡＱ６６０５１、ＡＡＱ６６３７７、ＡＡＱ６６４４４、ＡＡＱ６６５３８、ＡＡＱ６７１１７及びＡＡＱ６７１１８に対応するポリペプチドの１つの少なくとも５０個のアミノ酸と実質的に同一であるアミノ酸配列を有する、該ポリペプチドの抗原性領域に対して産生される抗体。
【請求項１０】
前記ポリペプチドが、ＡＡＱ６５４６２、ＡＡＱ６６９９１、ＡＡＱ６５５６１及びＡＡＱ６６８３１から成る群から選択されるアクセッション番号に対応する、請求項９に記載の抗体。
【請求項１１】
前記ポリペプチドがＡＡＱ６５７４２から成る群から選択されるアクセッション番号に対応する、請求項９に記載の抗体。